(57)【要約】【課題】電池の消耗が進行したときには蓄電手段が放電され、コントロールユニットにリセットが確実にかかるよう構成された電池電源式リモートコントロール装置を提供する。【解決手段】電池電圧が設定値以下になると、マイコン１２は液晶パネル８に電池切れ表示マークを表示させる。その後、ストップスイッチ５Ｂの操作回数をカウントし、この回数が設定回数以上になったときには、停止モードに移行し、ノズル３、脱臭ファン、ポンプなどの本体部２の機器が動作している場合、その機器の動作を停止させるストップ信号を発光部６から発光させたあと、操作スイッチ５Ａが操作されても発光部６から光信号を発光させないようにする。その後、トランジスタ１６を所定時間ＯＮとし、コンデンサＣ１，Ｃ２を放電させる。【選択図】図４
2010200591.tif 000002
【特許請求の範囲】
【請求項１】
操作部の操作により信号が入力されるコントロールユニットと、
該コントロールユニットからの信号により、離隔配置された本体部の機器を制御する信号を発信する発信手段と、
装置駆動用の電池の電圧を判定する電圧判定手段と、
電池と並列に設けられた蓄電手段と、
前記電池の電圧が所定値まで低下したとき電池切れ表示をする表示手段と、
前記電池切れ表示後の電池の消耗を検知する消耗検知手段と、
該消耗検知手段により検知される電池の消耗レベルが所定レベルを超えると前記発信手段による信号の発信を停止する操作停止手段とを有する電池電源式リモートコントロール装置において、
該消耗検知手段により検知される電池の消耗レベルが前記所定レベルを超えたときに前記蓄電手段を放電させる放電手段を備えたことを特徴とする電池電源式リモートコントロール装置。
【請求項２】
請求項１において、前記消耗検知手段により検知される電池の消耗レベルが所定レベルを超えると、前記本体部の機器の動作を停止させるストップ信号を発信するストップ信号出力手段が設けられており、
前記放電手段は、該出力手段がストップ信号を出力した後に前記蓄電手段を放電させることを特徴とする電池電源式リモートコントロール装置。
【請求項３】
請求項１又は２において、前記放電手段は、前記発信手段を作動させるものであることを特徴とする電池電源式リモートコントロール装置。
【請求項４】
請求項１又は２において、前記放電手段は、前記コントロールユニットを高消費電力モードとするものであることを特徴とする電池電源式リモートコントロール装置。
【請求項５】
請求項１ないし４のいずれか１項において、前記消耗検知手段は、前記表示手段が電池切れを表示した後に行われる前記操作部の操作回数をカウントするものであり、前記所定レベルは、所定のカウント数であることを特徴とする電池電源式リモートコントロール装置。
【請求項６】
請求項１ないし４のいずれか１項において、前記消耗検知手段は前記表示手段が電池切れを表示した後の経過時間を測定するものであり、前記所定レベルは、所定の経過時間であることを特徴とする電池電源式リモートコントロール装置。
【発明の詳細な説明】
【技術分野】
【０００１】
本発明は、温水洗浄装置付便器やシステムバスなどを制御するための光信号等を発信する電池電源式リモートコントロール装置に関する。
【背景技術】
【０００２】
従来、温水洗浄装置付便器などを制御するために光信号を発信する電池電源式リモートコントロール装置として、例えば特開平８−３１９６４９号公報に記載されているものがある。このリモートコントロール装置は、制御用の光信号の発信が不能となる電源電圧よりも少し高い電圧を判定する第１の電圧判定回路と、第１の電圧判定回路で判定される電圧よりも高い電圧を判定する第２の電圧判定回路とを設け、電池の電圧が第２の電圧判定回路で判定される電圧まで低下した時点で電池切れ表示を行い、第１の電圧判定回路で判定される電圧まで低下した時点でリモートコントロール装置の操作部の操作による信号の発信を停止するようにしたものである。
【０００３】
同号公報の電池電源式リモートコントロール装置は、第１の電圧判定回路と第２の電圧判定回路との２つの電圧判定回路を設ける必要があり、そのため電子回路が複雑になってコスト高になるという問題がある。
【０００４】
特開平１１−２１４０４４には、簡単な電子回路で電池切れを知ることが可能な電池電源式リモートコントロール装置として、操作部の操作により離隔配置された本体部の機器を制御する信号を発信する電池電源式リモートコントロール装置において、前記電池の電圧を判定する電圧判定手段と、前記電池の電圧が所定値まで低下したとき電池切れ表示をする表示手段と、前記操作部の操作回数をカウントするカウント手段と、前記電池切れ表示後に前記操作回数が所定値を超えると前記本体部の機器の動作を停止させるか、又は操作部の操作による信号の発信を停止するように構成した電池電源式リモートコントロール装置が提案されている。
【０００５】
この電池電源式リモートコントロール装置によれば、電池が消耗し始めていることが表示されるだけでなく、この消耗が進行したときでも電池が切れる前に本体部の機器を停止させたり、又は本体部の機器への信号発信が行われないようになる。しかも、電池の消耗の進行を経過時間又は操作回数に基づいて簡易に検知することができる。
【先行技術文献】
【特許文献】
【０００６】
【特許文献１】特開平８−３１９６４９号公報
【特許文献２】特開平１１−２１４０４４号公報
【発明の概要】
【発明が解決しようとする課題】
【０００７】
この種の電池電源式リモートコントロール装置の電源部に、電池と並列にコンデンサを設け、このコンデンサの充電電荷を利用してＬＥＤを発光させることがある。また、電池出力電圧の平滑化のためにコンデンサが電池と並列に設けられることもある。
【０００８】
上記電源部から電池を取り外すと、マイコンへのリセット端子の電圧レベルが低下し、マイコンがリセットされる。
【０００９】
ところが、上記のように電池と並列にコンデンサが設けられている場合、消耗した電池を交換すべく電池を取り外したときに、コンデンサの充電電圧がマイコンのリセット端子に印加され、マイコンがリセットされないおそれがあった。特に、電池を手早く交換した場合、コンデンサの電圧がリセット電圧以下に低下しないうちに新品の電池が装着されるため、マイコンがリセットされないことが生じ易い。
【００１０】
本発明は、上記従来の問題点を解消し、電池と並列に蓄電手段が設けられている電池電源式リモートコントロール装置において、電池が所定値以上に消耗したときに電池消耗が表示されると共に、さらに電池の消耗が進行したときには蓄電手段が放電され、コントロールユニットにリセットが確実にかかるよう構成された電池電源式リモートコントロール装置を提供することを目的とする。
【課題を解決するための手段】
【００１１】
請求項１の電池電源式リモートコントロール装置は、操作部の操作により信号が入力されるコントロールユニットと、該コントロールユニットからの信号により、離隔配置された本体部の機器を制御する信号を発信する発信手段と、装置駆動用の電池の電圧を判定する電圧判定手段と、電池と並列に設けられた蓄電手段と、前記電池の電圧が所定値まで低下したとき電池切れ表示をする表示手段と、前記電池切れ表示後の電池の消耗を検知する消耗検知手段と、該消耗検知手段により検知される電池の消耗レベルが所定レベルを超えると前記発信手段による信号の発信を停止する操作停止手段とを有する電池電源式リモートコントロール装置において、該消耗検知手段により検知される電池の消耗レベルが前記所定レベルを超えたときに前記蓄電手段を放電させる放電手段を備えたことを特徴とするものである。
【００１２】
請求項２の電池電源式リモートコントロール装置は、請求項１において、前記消耗検知手段により検知される電池の消耗レベルが所定レベルを超えると、前記本体部の機器の動作を停止させるストップ信号を発信するストップ信号出力手段が設けられており、前記放電手段は、該出力手段がストップ信号を出力した後に前記蓄電手段を放電させることを特徴とするものである。
【００１３】
請求項３の電池電源式リモートコントロール装置は、請求項１又は２において、前記放電手段は、前記発信手段を作動させるものであることを特徴とするものである。
【００１４】
請求項４の電池電源式リモートコントロール装置は、請求項１又は２において、前記放電手段は、前記コントロールユニットを高消費電力モードとするものであることを特徴とするものである。
【００１５】
請求項５の電池電源式リモートコントロール装置は、請求項１ないし４のいずれか１項において、前記消耗検知手段は、前記表示手段が電池切れを表示した後に行われる前記操作部の操作回数をカウントするものであり、前記所定レベルは、所定のカウント数であることを特徴とするものである。
【００１６】
請求項６の電池電源式リモートコントロール装置は、請求項１ないし４のいずれか１項において、前記消耗検知手段は前記表示手段が電池切れを表示した後の経過時間を測定するものであり、前記所定レベルは、所定の経過時間であることを特徴とするものである。
【発明の効果】
【００１７】
本発明の電池電源式リモートコントロール装置では、電池の電圧が所定値以下にまで低下すると、表示手段に電池切れを示す表示がなされる。この表示がなされた後、さらに電池が所定レベルまで消耗すると、本体部の機器の動作がなされないように、発信手段による信号の発信を停止するか、さらに、本体部の機器の動作を停止させるようにストップ信号が発信される。加えて、本発明では、これと共に、電池と並列に設けられたコンデンサなどの蓄電手段を放電させる。そのため、電池を交換すると、この電池交換作業が著しく手早く行われたとしても、コントロールユニットはリセットされる。
【００１８】
なお、コンデンサ等の蓄電手段を放電させるには、ＬＥＤ等の発信手段を作動させて蓄電手段の電荷を消費してもよく、コントロールユニットを高消費電力モードとすることにより蓄電手段の電荷を消費するようにしてもよい。
【図面の簡単な説明】
【００１９】
【図１】実施の形態に係る電池電源式リモートコントロール装置を備えたトイレ設備の斜視図である。
【図２】図１の電池電源式リモートコントロール装置の回路図である。
【図３】図１の電池電源式リモートコントロール装置の作動を示すフローチャートである。
【図４】図１の電池電源式リモートコントロール装置の作動の説明図である。
【発明を実施するための形態】
【００２０】
次に、本発明の実施の形態について説明する。第１図は温水洗浄装置付便器１の斜視図である。便器の本体部２の後部上面に設置されたタンクカバー４内には、ロータンクのほか、人体局部に向けて洗浄水を噴出させる一対のノズル３や、図示していない脱臭ファン、ノズル３への給水用のポンプ、制御回路を搭載した制御基板などが設置されている。
【００２１】
トイレ室の壁面には電池及び制御基板を内蔵したリモコン５が取り付けられている。リモコン５には複数の操作スイッチ５Ａが配設されており、操作スイッチ５Ａの一つが押されると、当該操作スイッチの内容に対応した操作信号光が発光部６から送信される。発光部６から送信された光信号はタンクカバー４に設けられた受光部７で受光され、光電変換されてタンクカバー４内の制御回路に入力され、制御回路が該当する機器の駆動を制御する。
【００２２】
リモコン５にはストップスイッチ５Ｂが設けられている。このストップスイッチ５Ｂが押されると、ストップ信号が発光部６から送信され、このストップ信号光が受光部７で受光されると、制御回路はその時点で駆動している機器を停止させる。
【００２３】
第２図の通り、リモコン５の制御基板には、コントロールユニットとしてマイコン１２が内蔵されている。このマイコン１２の電源入力端子Ｖｉｎ及びグラウンド端子Ｇ間には、電池（この実施の形態では乾電池）１０からの電圧が電解コンデンサＣ１，Ｃ２及び抵抗１１を介して入力されている。電池１０の正極とアース間には、ＬＥＤ１４，１５が抵抗１２，１３及びトランジスタ１６を介して並列に接続されている。
【００２４】
ＬＥＤ１４，１５は各発光部６の裏側に配置されており、信号光を発光する。
【００２５】
リモコン５内の制御基板には、マイコンへの入力電圧を判定する電圧判定回路１７が設けられており、この電圧判定回路１７の判定結果がマイコン１２に入力される。
【００２６】
マイコン１２は、操作スイッチ５Ａ，ストップスイッチ５Ｂ及び電圧判定回路１７からの信号に基づいてトランジスタ１６を制御すると共に、リモコン５の前面の液晶表示パネル８の表示制御を行う。なお、マイコン１２には前記操作スイッチ５Ａ、ストップスイッチ５Ｂの操作回数をカウントするソフトプログラム、及び前記電池がリモコン５にセットされたときからの経過時間を計測するソフトプログラムがインストールされている。
【００２７】
第３，４図の通り、電圧判定回路１７により電池の電圧が設定値（例えば２．６ボルト）よりも高いときは、通常モードであり、リモコン５は通常通りの作動を行う。電池電圧が設定値以下になった場合、電圧判定回路１７からの電圧低下信号がマイコン１２に入力され、マイコン１２は液晶パネル８に電池切れ表示マークを表示させる。
【００２８】
この電池切れ表示マーク点灯により、電池切れを知ることができる。なお、このモード（電池切れ警告モード）では、電池切れマークが表示されるだけであり、リモコン５自体は通常モード時と同様に使用することができ、各機器も同様に動作可能である。
【００２９】
マイコン１２は、この電池切れ表示マークを表示させた後のリモコン５のストップスイッチ５Ｂの操作回数をカウントし、この回数が設定回数以上であるか否かを判断する。操作回数が設定回数未満である間に電池電圧が設定電圧以上に回復したときには、電池切れ表示を消去し、カウント数をゼロに戻し、カウントを停止する。
【００３０】
電池電圧の回復がない場合には、そのままカウントを続行し、操作回数が設定回数以上になったときには、停止モードに移行し、前記ノズル３、脱臭ファン、ポンプなどの本体部２の機器が動作している場合、その機器の動作を停止させるストップ信号を発光部６から発光させたあと、操作スイッチ５Ａが操作されても発光部６から光信号を発光させないようにする。これにより、操作スイッチを操作しても機器は作動しないようになる。
【００３１】
この実施の形態では、その後、トランジスタ１６を所定時間ＯＮとし、コンデンサＣ１，Ｃ２を放電させる。これにより、マイコン１２にリセットがかかる。その後、電池１０を新品のものに交換すると、マイコン１２は通常モードに復帰する。
【００３２】
上記実施の形態では、停止モードに移行すると、トランジスタ１６をＯＮとすることによりコンデンサＣ１，Ｃ２を放電させているが、マイコン１２を高消費電力のアクティブモードとすることによりコンデンサＣ１，Ｃ２を放電させてもよい。
【００３３】
上記実施の形態では、通常モードから電池切れ警告モードに移行した後、ストップスイッチの操作回数をカウントするようにしているが、電池切れ警告モードに移行した後の操作スイッチ５Ａの操作回数をカウントしてもよく、操作スイッチ５Ａとストップスイッチ５Ｂの操作回数の合計をカウントしてもよい。
【００３４】
本発明では、電池切れ警告モードに移行した後、経過時間を計測し、この経過時間が所定時間に達したならば停止モードに移行するようにしてもよい。
【００３５】
また、電池切れ警告モードに移行した後、ストップスイッチの操作回数のカウントと経過時間の計測とを併行して行い、操作回数及び経過時間のいずれか一方が所定値に達したならば停止モードに移行するようにしてもよい。
【００３６】
電池切れは、警告用ＬＥＤの点灯や点滅によって表示するようにしてもよい。
【図１】
2010200591.tif 000003
【図２】
2010200591.tif 000004
【図３】
2010200591.tif 000005
【図４】
2010200591.tif 000006